【手続補正書】
【提出日】平成27年1月22日(2015.1.22)
【手続補正１】
【補正対象書類名】特許請求の範囲
【補正対象項目名】全文
【補正方法】変更
【補正の内容】
【特許請求の範囲】
【請求項１】
シングルキャリア変調方式により伝送路を伝送され受信された受信ディジタル変調信号を等化する等化装置であって、
時間領域における前記伝送路のインパルス応答推定値を検出する伝送路推定部と、
前記受信ディジタル変調信号の系列のうち第１の変換期間内の信号に対して直交変換を実行して周波数領域信号を生成する第１の直交変換部と、
前記インパルス応答推定値の系列のうち前記第１の変換期間内の推定値に対して直交変換を実行して周波数領域における伝送路特性を生成する第２の直交変換部と、
前記伝送路特性を用いて前記周波数領域信号の歪みを補正して周波数領域等化信号を生成する周波数軸等化部と、
前記周波数領域等化信号を逆直交変換して時間領域における等化信号を生成する逆直交変換部と、
前記受信ディジタル変調信号の系列のうち前記第１の変換期間よりも短い第２の変換期間内の信号に対して直交変換を実行して周波数領域における副周波数領域信号を生成する第１の副直交変換部と、
前記インパルス応答推定値の系列のうち前記第２の変換期間内の推定値に対して直交変換を実行して周波数領域における副伝送路特性を生成する第２の副直交変換部と、
前記副伝送路特性を用いて前記副周波数領域信号の歪みを補正して副周波数領域等化信号を生成する副周波数軸等化部と、
前記副周波数領域等化信号に対して逆直交変換を実行して時間領域における副等化信号を生成する副逆直交変換部と、
前記副等化信号及び前記等化信号のうちのいずれか一方の信号を選択して出力する信号選択部と、
前記受信ディジタル変調信号に適用されたディジタル変調方式に従って、前記信号選択部で選択された一方の信号の信号点を判定する判定部と
を備え、
前記伝送路推定部は、前記受信ディジタル変調信号の系列に含まれる受信既知信号に基づいて前記インパルス応答推定値の系列の初期推定値を検出した後に、前記判定部で判定された信号点と前記受信ディジタル変調信号とに基づいて前記インパルス応答推定値の系列のうち前記初期推定値に後続する推定値を検出し、
前記信号選択部は、前記副等化信号を出力した後に当該一方の信号を前記副等化信号から前記等化信号に切り替える
ことを特徴とする等化装置。
【請求項２】
請求項１に記載の等化装置であって、前記伝送路推定部は、前記判定部で判定された信号点と前記インパルス応答推定値とに基づいて前記受信ディジタル変調信号のレプリカを生成し、前記受信ディジタル変調信号と前記レプリカとの間の誤差を小さくするように前記インパルス応答推定値を逐次更新することを特徴とする等化装置。
【請求項３】
請求項２に記載の等化装置であって、
前記伝送路推定部は、前記インパルス応答推定値を可変フィルタ係数として有する適応フィルタを含み、
前記適応フィルタは、前記誤差の大きさを最小化する適応アルゴリズムに従って前記可変フィルタ係数を逐次更新する
ことを特徴とする等化装置。
【請求項４】
請求項１から３のうちのいずれか１項に記載の等化装置であって、前記信号選択部は、前記等化信号の信号品質を表す制御信号を当該等化装置の外部からの入力とし、前記信号品質に応じて、当該一方の信号を前記副等化信号から前記等化信号に切り替えるタイミングを変化させることを特徴とする等化装置。
【請求項５】
請求項４に記載の等化装置であって、前記信号選択部は、前記信号品質が所定条件を満たさないときに、前記副等化信号を選択した後に前記等化信号を選択し、前記信号品質が所定条件を満たすときには、前記副等化信号を選択し続けて前記等化信号を選択しないことを特徴とする等化装置。
【請求項６】
請求項１から３のうちのいずれか１項に記載の等化装置であって、
前記伝送路推定部は、
前記インパルス応答推定値を算出する推定値算出部と、
前記インパルス応答推定値の系列に基づいて、希望波に対する遅延波の遅延時間及び強度を示す遅延プロファイルを推定する遅延プロファイル算出部と
を含み、
前記信号選択部は、当該推定された遅延プロファイルに応じて、当該一方の信号を前記副等化信号から前記等化信号に切り替えるタイミングを変化させる
ことを特徴とする等化装置。
【請求項７】
請求項６に記載の等化装置であって、前記信号選択部は、当該推定された遅延プロファイルが所定条件を満たさないときに、前記副等化信号を選択した後に前記等化信号を選択し、当該推定された遅延プロファイルが所定条件を満たすときには、前記副等化信号を選択し続けて前記等化信号を選択しないことを特徴とする等化装置。
【請求項８】
シングルキャリア変調方式により伝送路を伝送され受信された受信ディジタル変調信号を等化する等化装置であって、
時間領域における前記伝送路のインパルス応答推定値を検出する伝送路推定部と、
前記受信ディジタル変調信号の系列のうち第１の変換期間内の信号に対して直交変換を実行して周波数領域信号を生成する第１の直交変換部と、
前記インパルス応答推定値の系列のうち前記第１の変換期間内の推定値に対して直交変換を実行して周波数領域における伝送路特性を生成する第２の直交変換部と、
前記伝送路特性を用いて前記周波数領域信号の歪みを補正して周波数領域等化信号を生成する周波数軸等化部と、
前記周波数領域等化信号に対して逆直交変換を実行して時間領域における等化信号を生成する逆直交変換部と、
前記受信ディジタル変調信号の系列のうち前記第１の変換期間よりも短い第２の変換期間内の信号に対して直交変換を実行して周波数領域における副周波数領域信号を生成する第１の副直交変換部と、
前記インパルス応答推定値の系列のうち前記第２の変換期間内の推定値に対して直交変換を実行して周波数領域における副伝送路特性を生成する第２の副直交変換部と、
前記副伝送路特性を用いて前記副周波数領域信号の歪みを補正して副周波数領域等化信号を生成する副周波数軸等化部と、
前記副周波数領域等化信号に対して逆直交変換を実行して時間領域における副等化信号を生成する副逆直交変換部と、
前記副等化信号及び前記等化信号を合成して合成等化信号を生成する信号選択部と、
前記受信ディジタル変調信号に適用されたディジタル変調方式に従って、前記合成等化信号の信号点を判定する判定部と
を備え、
前記伝送路推定部は、前記受信ディジタル変調信号の系列に含まれる受信既知信号に基づいて前記インパルス応答推定値の系列の初期推定値を検出した後に、前記判定部で判定された信号点と前記受信ディジタル変調信号とに基づいて前記インパルス応答推定値の系列のうち前記初期推定値に後続する推定値を検出し、
前記信号選択部は、前記等化信号に対する前記副等化信号の合成比率を１の値に設定して前記副等化信号を前記合成等化信号として出力した後に、前記合成比率を１未満の値に切り替える
ことを特徴とする等化装置。
【請求項９】
請求項８に記載の等化装置であって、前記伝送路推定部は、前記判定部で判定された信号点と前記インパルス応答推定値とに基づいて前記受信ディジタル変調信号のレプリカを生成し、前記受信ディジタル変調信号と前記レプリカとの間の誤差を小さくするように前記インパルス応答推定値を逐次更新することを特徴とする等化装置。
【請求項１０】
請求項９に記載の等化装置であって、
前記伝送路推定部は、前記インパルス応答推定値を可変フィルタ係数として有する適応フィルタを含み、
前記適応フィルタは、前記誤差の大きさを最小化する適応アルゴリズムに従って前記可変フィルタ係数を逐次更新する
ことを特徴とする等化装置。
【請求項１１】
請求項８から１０のうちのいずれか１項に記載の等化装置であって、前記信号選択部は、前記等化信号の信号品質を表す制御信号を当該等化装置の外部からの入力とし、前記信号品質に応じて、前記合成比率を切り替えるタイミングを変化させることを特徴とする等化装置。
【請求項１２】
請求項８から１０のうちのいずれか１項に記載の等化装置であって、
前記伝送路推定部は、
前記インパルス応答推定値を算出する推定値算出部と、
前記インパルス応答推定値の系列に基づいて、希望波に対する遅延波の遅延時間及び強度を示す遅延プロファイルを推定する遅延プロファイル算出部と
を含み、
前記信号選択部は、当該推定された遅延プロファイルに応じて、前記合成比率を切り替えるタイミングを変化させる
ことを特徴とする等化装置。
【請求項１３】
請求項１から１２のうちのいずれか１項に記載の等化装置であって、前記第１の副直交変換部及び前記第２の副直交変換部は、前記等化信号の信号品質を表す制御信号を当該等化装置の外部からの入力とし、前記信号品質に応じて前記第２の変換期間を変化させることを特徴とする等化装置。
【請求項１４】
請求項１３に記載の等化装置であって、前記第１の直交変換部及び前記第２の直交変換部は、前記制御信号を入力とし、前記信号品質に応じて前記第１の変換期間を変化させることを特徴とする等化装置。
【請求項１５】
請求項１から３及び請求項８から１０のうちのいずれか１項に記載の等化装置であって、
前記伝送路推定部は、
前記インパルス応答推定値を算出する推定値算出部と、
前記インパルス応答推定値の系列に基づいて、希望波に対する遅延波の遅延時間及び強度を示す遅延プロファイルを推定する遅延プロファイル算出部と
を含み、
前記第１の副直交変換部及び前記第２の副直交変換部は、当該推定された遅延プロファイルに応じて前記第２の変換期間を変化させる
ことを特徴とする等化装置。
【請求項１６】
請求項１５に記載の等化装置であって、前記第１の直交変換部及び前記第２の直交変換部は、当該推定された遅延プロファイルに応じて前記第１の変換期間を変化させることを特徴とする等化装置。
【請求項１７】
請求項１から１６のうちのいずれか１項に記載の等化装置であって、
前記第１の直交変換部は、前記受信ディジタル変調信号の系列のうち前記第１の変換期間内のＬ点（Ｌは２以上の整数）の信号に対して離散フーリエ変換を実行することにより前記周波数領域信号を生成し、
前記第２の直交変換部は、前記インパルス応答推定値の系列のうち前記第１の変換期間内のＬ点の推定値に対して離散フーリエ変換を実行することにより前記伝送路特性を生成し、
前記第１の副直交変換部は、前記受信ディジタル変調信号の系列のうち前記第２の変換期間内のＬ点よりも少ないＫ点（Ｋは正整数）の信号に対して離散フーリエ変換を実行することにより前記副周波数領域信号を生成し、
前記第２の副直交変換部は、前記インパルス応答推定値の系列のうち前記第２の変換期間内のＫ点の推定値に対して離散フーリエ変換を実行することにより前記副伝送路特性を生成する
ことを特徴とする等化装置。
【請求項１８】
シングルキャリア変調方式により伝送路を伝送された受信ディジタル変調信号を受信する受信部と、
前記受信ディジタル変調信号を等化する等化装置と
を備え、
前記等化装置は、
時間領域における前記伝送路のインパルス応答推定値を検出する伝送路推定部と、
前記受信ディジタル変調信号の系列のうち第１の変換期間内の信号に対して直交変換を実行して周波数領域信号を生成する第１の直交変換部と、
前記インパルス応答推定値の系列のうち前記第１の変換期間内の推定値に対して直交変換を実行して周波数領域における伝送路特性を生成する第２の直交変換部と、
前記伝送路特性を用いて前記周波数領域信号の歪みを補正して周波数領域等化信号を生成する周波数軸等化部と、
前記周波数領域等化信号を逆直交変換して時間領域における等化信号を生成する逆直交変換部と、
前記受信ディジタル変調信号の系列のうち前記第１の変換期間よりも短い第２の変換期間内の信号に対して直交変換を実行して周波数領域における副周波数領域信号を生成する第１の副直交変換部と、
前記インパルス応答推定値の系列のうち前記第２の変換期間内の推定値に対して直交変換を実行して周波数領域における副伝送路特性を生成する第２の副直交変換部と、
前記副伝送路特性を用いて前記副周波数領域信号の歪みを補正して副周波数領域等化信号を生成する副周波数軸等化部と、
前記副周波数領域等化信号に対して逆直交変換を実行して時間領域における副等化信号を生成する副逆直交変換部と、
前記副等化信号及び前記等化信号のうちのいずれか一方の信号を選択する信号選択部と、
前記受信ディジタル変調信号に適用されたディジタル変調方式に従って、前記信号選択部で選択された当該一方の信号の信号点を判定する判定部と
を有し、
前記伝送路推定部は、前記受信ディジタル変調信号の系列に含まれる受信既知信号に基づいて前記インパルス応答推定値の系列の初期推定値を検出した後に、前記判定部で判定された信号点と前記受信ディジタル変調信号とに基づいて前記インパルス応答推定値の系列のうち前記初期推定値に後続する推定値を検出し、
前記信号選択部は、前記副等化信号を選択した後に当該一方の信号を前記副等化信号から前記等化信号に切り替える
ことを特徴とする受信装置。
【請求項１９】
シングルキャリア変調方式により伝送路を伝送された受信ディジタル変調信号を受信する受信部と、
前記受信ディジタル変調信号を等化する等化装置と
を備え、
前記等化装置は、
時間領域における前記伝送路のインパルス応答推定値を検出する伝送路推定部と、
前記受信ディジタル変調信号の系列のうち第１の変換期間内の信号に対して直交変換を実行して周波数領域信号を生成する第１の直交変換部と、
前記インパルス応答推定値の系列のうち前記第１の変換期間内の推定値に対して直交変換を実行して周波数領域における伝送路特性を生成する第２の直交変換部と、
前記伝送路特性を用いて前記周波数領域信号の歪みを補正して周波数領域等化信号を生成する周波数軸等化部と、
前記周波数領域等化信号に対して逆直交変換を実行して時間領域における等化信号を生成する逆直交変換部と、
前記受信ディジタル変調信号の系列のうち前記第１の変換期間よりも短い第２の変換期間内の信号に対して直交変換を実行して周波数領域における副周波数領域信号を生成する第１の副直交変換部と、
前記インパルス応答推定値の系列のうち前記第２の変換期間内の推定値に対して直交変換を実行して周波数領域における副伝送路特性を生成する第２の副直交変換部と、
前記副伝送路特性を用いて前記副周波数領域信号の歪みを補正して副周波数領域等化信号を生成する副周波数軸等化部と、
前記副周波数領域等化信号に対して逆直交変換を実行して時間領域における副等化信号を生成する副逆直交変換部と、
前記副等化信号及び前記等化信号を合成して合成等化信号を生成する信号選択部と、
前記受信ディジタル変調信号に適用されたディジタル変調方式に従って、前記合成等化信号の信号点を判定する判定部と
を備え、
前記伝送路推定部は、前記受信ディジタル変調信号の系列に含まれる受信既知信号に基づいて前記インパルス応答推定値の系列の初期推定値を検出した後に、前記判定部で判定された信号点と前記受信ディジタル変調信号とに基づいて前記インパルス応答推定値の系列のうち前記初期推定値に後続する推定値を検出し、
前記信号選択部は、前記等化信号に対する前記副等化信号の合成比率を１の値に設定して前記副等化信号を前記合成等化信号として出力した後に、前記合成比率を１未満の値に切り替える
ことを特徴とする受信装置。
【請求項２０】
シングルキャリア変調方式により伝送路を伝送され受信された受信ディジタル変調信号を等化する等化方法であって、
時間領域における前記伝送路のインパルス応答推定値を検出するステップと、
前記受信ディジタル変調信号の系列のうち第１の変換期間内の信号に対して直交変換を実行して周波数領域信号を生成するステップと、
前記インパルス応答推定値の系列のうち前記第１の変換期間内の推定値に対して直交変換を実行して周波数領域における伝送路特性を生成するステップと、
前記伝送路特性を用いて前記周波数領域信号の歪みを補正して周波数領域等化信号を生成するステップと、
前記周波数領域等化信号を逆直交変換して時間領域における等化信号を生成するステップと、
前記受信ディジタル変調信号の系列のうち前記第１の変換期間よりも短い第２の変換期間内の信号に対して直交変換を実行して周波数領域における副周波数領域信号を生成するステップと、
前記インパルス応答推定値の系列のうち前記第２の変換期間内の推定値に対して直交変換を実行して周波数領域における副伝送路特性を生成するステップと、
前記副伝送路特性を用いて前記副周波数領域信号の歪みを補正して副周波数領域等化信号を生成するステップと、
前記副周波数領域等化信号に対して逆直交変換を実行して時間領域における副等化信号を生成するステップと、
前記副等化信号及び前記等化信号のうちのいずれか一方の信号を選択するステップと、
前記受信ディジタル変調信号に適用されたディジタル変調方式に従って、当該選択された一方の信号の信号点を判定するステップと
を備え、
前記伝送路のインパルス応答推定値を検出する当該ステップは、
前記受信ディジタル変調信号の系列に含まれる受信既知信号に基づいて前記インパルス応答推定値の系列の初期推定値を検出するステップと、
前記初期推定値の生成後、当該判定された信号点と前記受信ディジタル変調信号とに基づいて前記インパルス応答推定値の系列のうち前記初期推定値に後続する推定値を検出するステップと
を含み、
前記一方の信号を選択する当該ステップは、
前記副等化信号を選択するステップと、
前記副等化信号の選択後、当該一方の信号を前記副等化信号から前記等化信号に切り替えるステップと
を含む
ことを特徴とする等化方法。
【請求項２１】
シングルキャリア変調方式により伝送路を伝送され受信された受信ディジタル変調信号を等化する等化方法であって、
時間領域における前記伝送路のインパルス応答推定値を検出するステップと、
前記受信ディジタル変調信号の系列のうち第１の変換期間内の信号に対して直交変換を実行して周波数領域信号を生成するステップと、
前記インパルス応答推定値の系列のうち前記第１の変換期間内の推定値に対して直交変換を実行して周波数領域における伝送路特性を生成するステップと、
前記伝送路特性を用いて前記周波数領域信号の歪みを補正して周波数領域等化信号を生成するステップと、
前記周波数領域等化信号を逆直交変換して時間領域における等化信号を生成するステップと、
前記受信ディジタル変調信号の系列のうち前記第１の変換期間よりも短い第２の変換期間内の信号に対して直交変換を実行して周波数領域における副周波数領域信号を生成するステップと、
前記インパルス応答推定値の系列のうち前記第２の変換期間内の推定値に対して直交変換を実行して周波数領域における副伝送路特性を生成するステップと、
前記副伝送路特性を用いて前記副周波数領域信号の歪みを補正して副周波数領域等化信号を生成するステップと、
前記副周波数領域等化信号に対して逆直交変換を実行して時間領域における副等化信号を生成するステップと、
前記副等化信号及び前記等化信号を合成して合成等化信号を生成するステップと、
前記受信ディジタル変調信号に適用されたディジタル変調方式に従って、前記合成等化信号の信号点を判定するステップと
を備え、
前記伝送路のインパルス応答推定値を検出する当該ステップは、
前記受信ディジタル変調信号の系列に含まれる受信既知信号に基づいて前記インパルス応答推定値の系列の初期推定値を検出するステップと、
前記初期推定値の生成後、当該判定された信号点と前記受信ディジタル変調信号とに基づいて前記インパルス応答推定値の系列のうち前記初期推定値に後続する推定値を検出するステップと
を含み、
前記合成等化信号を生成する当該ステップは、
前記等化信号に対する前記副等化信号の合成比率を１の値に設定して前記副等化信号を前記合成等化信号として出力するステップと、
前記合成比率が１の値に設定された後に、前記合成比率を１未満の値に切り替えるステップと
を含む
ことを特徴とする等化方法。
【手続補正２】
【補正対象書類名】明細書
【補正対象項目名】０００９
【補正方法】変更
【補正の内容】
【０００９】
本発明の第１の態様による等化装置は、シングルキャリア変調方式により伝送路を伝送され受信された受信ディジタル変調信号を等化する等化装置であって、時間領域における前記伝送路のインパルス応答推定値を検出する伝送路推定部と、前記受信ディジタル変調信号の系列のうち第１の変換期間内の信号に対して直交変換を実行して周波数領域信号を生成する第１の直交変換部と、前記インパルス応答推定値の系列のうち前記第１の変換期間内の推定値に対して直交変換を実行して周波数領域における伝送路特性を生成する第２の直交変換部と、前記伝送路特性を用いて前記周波数領域信号の歪みを補正して周波数領域等化信号を生成する周波数軸等化部と、前記周波数領域等化信号を逆直交変換して時間領域における等化信号を生成する逆直交変換部と、前記受信ディジタル変調信号の系列のうち前記第１の変換期間よりも短い第２の変換期間内の信号に対して直交変換を実行して周波数領域における副周波数領域信号を生成する第１の副直交変換部と、前記インパルス応答推定値の系列のうち前記第２の変換期間内の推定値に対して直交変換を実行して周波数領域における副伝送路特性を生成する第２の副直交変換部と、前記副伝送路特性を用いて前記副周波数領域信号の歪みを補正して副周波数領域等化信号を生成する副周波数軸等化部と、前記副周波数領域等化信号に対して逆直交変換を実行して時間領域における副等化信号を生成する副逆直交変換部と、前記副等化信号及び前記等化信号のうちのいずれか一方の信号を選択して出力する信号選択部と、前記受信ディジタル変調信号に適用されたディジタル変調方式に従って、前記信号選択部で選択された一方の信号の信号点を判定する判定部とを備え、前記伝送路推定部は、前記受信ディジタル変調信号の系列に含まれる受信既知信号に基づいて前記インパルス応答推定値の系列の初期推定値を検出した後に、前記判定部で判定された信号点と前記受信ディジタル変調信号とに基づいて前記インパルス応答推定値の系列のうち前記初期推定値に後続する推定値を検出し、前記信号選択部は、前記副等化信号を出力した後に当該一方の信号を前記副等化信号から前記等化信号に切り替えることを特徴とする。
【手続補正３】
【補正対象書類名】明細書
【補正対象項目名】００１０
【補正方法】変更
【補正の内容】
【００１０】
本発明の第２の態様による受信装置は、シングルキャリア変調方式により伝送路を伝送された受信ディジタル変調信号を受信する受信部と、前記受信ディジタル変調信号を等化する等化装置とを備え、前記等化装置は、時間領域における前記伝送路のインパルス応答推定値を検出する伝送路推定部と、前記受信ディジタル変調信号の系列のうち第１の変換期間内の信号に対して直交変換を実行して周波数領域信号を生成する第１の直交変換部と、前記インパルス応答推定値の系列のうち前記第１の変換期間内の推定値に対して直交変換を実行して周波数領域における伝送路特性を生成する第２の直交変換部と、前記伝送路特性を用いて前記周波数領域信号の歪みを補正して周波数領域等化信号を生成する周波数軸等化部と、前記周波数領域等化信号を逆直交変換して時間領域における等化信号を生成する逆直交変換部と、前記受信ディジタル変調信号の系列のうち前記第１の変換期間よりも短い第２の変換期間内の信号に対して直交変換を実行して周波数領域における副周波数領域信号を生成する第１の副直交変換部と、前記インパルス応答推定値の系列のうち前記第２の変換期間内の推定値に対して直交変換を実行して周波数領域における副伝送路特性を生成する第２の副直交変換部と、前記副伝送路特性を用いて前記副周波数領域信号の歪みを補正して副周波数領域等化信号を生成する副周波数軸等化部と、前記副周波数領域等化信号に対して逆直交変換を実行して時間領域における副等化信号を生成する副逆直交変換部と、前記副等化信号及び前記等化信号のうちのいずれか一方の信号を選択する信号選択部と、前記受信ディジタル変調信号に適用されたディジタル変調方式に従って、前記信号選択部で選択された当該一方の信号の信号点を判定する判定部とを有し、前記伝送路推定部は、前記受信ディジタル変調信号の系列に含まれる受信既知信号に基づいて前記インパルス応答推定値の系列の初期推定値を検出した後に、前記判定部で判定された信号点と前記受信ディジタル変調信号とに基づいて前記インパルス応答推定値の系列のうち前記初期推定値に後続する推定値を検出し、前記信号選択部は、前記副等化信号を選択した後に当該一方の信号を前記副等化信号から前記等化信号に切り替えることを特徴とする。
【手続補正４】
【補正対象書類名】明細書
【補正対象項目名】００１１
【補正方法】変更
【補正の内容】
【００１１】
本発明の第３の態様による等化方法は、シングルキャリア変調方式により伝送路を伝送され受信された受信ディジタル変調信号を等化する等化方法であって、時間領域における前記伝送路のインパルス応答推定値を検出するステップと、前記受信ディジタル変調信号の系列のうち第１の変換期間内の信号に対して直交変換を実行して周波数領域信号を生成するステップと、前記インパルス応答推定値の系列のうち前記第１の変換期間内の推定値に対して直交変換を実行して周波数領域における伝送路特性を生成するステップと、前記伝送路特性を用いて前記周波数領域信号の歪みを補正して周波数領域等化信号を生成するステップと、前記周波数領域等化信号を逆直交変換して時間領域における等化信号を生成するステップと、前記受信ディジタル変調信号の系列のうち前記第１の変換期間よりも短い第２の変換期間内の信号に対して直交変換を実行して周波数領域における副周波数領域信号を生成するステップと、前記インパルス応答推定値の系列のうち前記第２の変換期間内の推定値に対して直交変換を実行して周波数領域における副伝送路特性を生成するステップと、前記副伝送路特性を用いて前記副周波数領域信号の歪みを補正して副周波数領域等化信号を生成するステップと、前記副周波数領域等化信号に対して逆直交変換を実行して時間領域における副等化信号を生成するステップと、前記副等化信号及び前記等化信号のうちのいずれか一方の信号を選択するステップと、前記受信ディジタル変調信号に適用されたディジタル変調方式に従って、当該選択された一方の信号の信号点を判定するステップとを備え、前記伝送路のインパルス応答推定値を検出する当該ステップは、前記受信ディジタル変調信号の系列に含まれる受信既知信号に基づいて前記インパルス応答推定値の系列の初期推定値を検出するステップと、前記初期推定値の生成後、当該判定された信号点と前記受信ディジタル変調信号とに基づいて前記インパルス応答推定値の系列のうち前記初期推定値に後続する推定値を検出するステップとを含み、前記一方の信号を選択する当該ステップは、前記副等化信号を選択するステップと、前記副等化信号の選択後、当該一方の信号を前記副等化信号から前記等化信号に切り替えるステップとを含むことを特徴とする。
【手続補正５】
【補正対象書類名】明細書
【補正対象項目名】００１２
【補正方法】変更
【補正の内容】
【００１２】
本発明の第４の態様による等化装置は、シングルキャリア変調方式により伝送路を伝送され受信された受信ディジタル変調信号を等化する等化装置であって、時間領域における前記伝送路のインパルス応答推定値を検出する伝送路推定部と、前記受信ディジタル変調信号の系列のうち第１の変換期間内の信号に対して直交変換を実行して周波数領域信号を生成する第１の直交変換部と、前記インパルス応答推定値の系列のうち前記第１の変換期間内の推定値に対して直交変換を実行して周波数領域における伝送路特性を生成する第２の直交変換部と、前記伝送路特性を用いて前記周波数領域信号の歪みを補正して周波数領域等化信号を生成する周波数軸等化部と、前記周波数領域等化信号に対して逆直交変換を実行して時間領域における等化信号を生成する逆直交変換部と、前記受信ディジタル変調信号の系列のうち前記第１の変換期間よりも短い第２の変換期間内の信号に対して直交変換を実行して周波数領域における副周波数領域信号を生成する第１の副直交変換部と、前記インパルス応答推定値の系列のうち前記第２の変換期間内の推定値に対して直交変換を実行して周波数領域における副伝送路特性を生成する第２の副直交変換部と、前記副伝送路特性を用いて前記副周波数領域信号の歪みを補正して副周波数領域等化信号を生成する副周波数軸等化部と、前記副周波数領域等化信号に対して逆直交変換を実行して時間領域における副等化信号を生成する副逆直交変換部と、前記副等化信号及び前記等化信号を合成して合成等化信号を生成する信号選択部と、前記受信ディジタル変調信号に適用されたディジタル変調方式に従って、前記合成等化信号の信号点を判定する判定部とを備え、前記伝送路推定部は、前記受信ディジタル変調信号の系列に含まれる受信既知信号に基づいて前記インパルス応答推定値の系列の初期推定値を検出した後に、前記判定部で判定された信号点と前記受信ディジタル変調信号とに基づいて前記インパルス応答推定値の系列のうち前記初期推定値に後続する推定値を検出し、前記信号選択部は、前記等化信号に対する前記副等化信号の合成比率を１の値に設定して前記副等化信号を前記合成等化信号として出力した後に、前記合成比率を１未満の値に切り替えることを特徴とする。
【手続補正６】
【補正対象書類名】明細書
【補正対象項目名】００１３
【補正方法】変更
【補正の内容】
【００１３】
本発明の第５の態様による受信装置は、シングルキャリア変調方式により伝送路を伝送された受信ディジタル変調信号を受信する受信部と、前記受信ディジタル変調信号を等化する等化装置とを備え、前記等化装置は、時間領域における前記伝送路のインパルス応答推定値を検出する伝送路推定部と、前記受信ディジタル変調信号の系列のうち第１の変換期間内の信号に対して直交変換を実行して周波数領域信号を生成する第１の直交変換部と、前記インパルス応答推定値の系列のうち前記第１の変換期間内の推定値に対して直交変換を実行して周波数領域における伝送路特性を生成する第２の直交変換部と、前記伝送路特性を用いて前記周波数領域信号の歪みを補正して周波数領域等化信号を生成する周波数軸等化部と、前記周波数領域等化信号に対して逆直交変換を実行して時間領域における等化信号を生成する逆直交変換部と、前記受信ディジタル変調信号の系列のうち前記第１の変換期間よりも短い第２の変換期間内の信号に対して直交変換を実行して周波数領域における副周波数領域信号を生成する第１の副直交変換部と、前記インパルス応答推定値の系列のうち前記第２の変換期間内の推定値に対して直交変換を実行して周波数領域における副伝送路特性を生成する第２の副直交変換部と、前記副伝送路特性を用いて前記副周波数領域信号の歪みを補正して副周波数領域等化信号を生成する副周波数軸等化部と、前記副周波数領域等化信号に対して逆直交変換を実行して時間領域における副等化信号を生成する副逆直交変換部と、前記副等化信号及び前記等化信号を合成して合成等化信号を生成する信号選択部と、前記受信ディジタル変調信号に適用されたディジタル変調方式に従って、前記合成等化信号の信号点を判定する判定部とを備え、前記伝送路推定部は、前記受信ディジタル変調信号の系列に含まれる受信既知信号に基づいて前記インパルス応答推定値の系列の初期推定値を検出した後に、前記判定部で判定された信号点と前記受信ディジタル変調信号とに基づいて前記インパルス応答推定値の系列のうち前記初期推定値に後続する推定値を検出し、前記信号選択部は、前記等化信号に対する前記副等化信号の合成比率を１の値に設定して前記副等化信号を前記合成等化信号として出力した後に、前記合成比率を１未満の値に切り替えることを特徴とする。
【手続補正７】
【補正対象書類名】明細書
【補正対象項目名】００１４
【補正方法】変更
【補正の内容】
【００１４】
本発明の第６の態様による等化方法は、シングルキャリア変調方式により伝送路を伝送され受信された受信ディジタル変調信号を等化する等化方法であって、時間領域における前記伝送路のインパルス応答推定値を検出するステップと、前記受信ディジタル変調信号の系列のうち第１の変換期間内の信号に対して直交変換を実行して周波数領域信号を生成するステップと、前記インパルス応答推定値の系列のうち前記第１の変換期間内の推定値に対して直交変換を実行して周波数領域における伝送路特性を生成するステップと、前記伝送路特性を用いて前記周波数領域信号の歪みを補正して周波数領域等化信号を生成するステップと、前記周波数領域等化信号を逆直交変換して時間領域における等化信号を生成するステップと、前記受信ディジタル変調信号の系列のうち前記第１の変換期間よりも短い第２の変換期間内の信号に対して直交変換を実行して周波数領域における副周波数領域信号を生成するステップと、前記インパルス応答推定値の系列のうち前記第２の変換期間内の推定値に対して直交変換を実行して周波数領域における副伝送路特性を生成するステップと、前記副伝送路特性を用いて前記副周波数領域信号の歪みを補正して副周波数領域等化信号を生成するステップと、前記副周波数領域等化信号に対して逆直交変換を実行して時間領域における副等化信号を生成するステップと、前記副等化信号及び前記等化信号を合成して合成等化信号を生成するステップと、前記受信ディジタル変調信号に適用されたディジタル変調方式に従って、前記合成等化信号の信号点を判定するステップとを備え、前記伝送路のインパルス応答推定値を検出する当該ステップは、前記受信ディジタル変調信号の系列に含まれる受信既知信号に基づいて前記インパルス応答推定値の系列の初期推定値を検出するステップと、前記初期推定値の生成後、当該判定された信号点と前記受信ディジタル変調信号とに基づいて前記インパルス応答推定値の系列のうち前記初期推定値に後続する推定値を検出するステップとを含み、前記合成等化信号を生成する当該ステップは、前記等化信号に対する前記副等化信号の合成比率を１の値に設定して前記副等化信号を前記合成等化信号として出力するステップと、前記合成比率が１の値に設定された後に、前記合成比率を１未満の値に切り替えるステップとを含むことを特徴とする。